(57)【特許請求の範囲】
【請求項１】
ヘッドカバーであって、
前記ヘッドカバーは、本体とプルストラップとを備え、
前記本体は、ヘッド部と中空のスリーブ部とを備え、
前記ヘッド部は、トゥー部分とヒール部分を有するゴルフクラブヘッドを収容するように構成された中空室を形成し、
前記ヘッド部はさらに、第１のヘッド端部と第２のヘッド端部とを形成し、
前記第１及び前記第２のヘッド端部は互いに反対に位置しており、
前記中空のスリーブ部は、前記中空室と連通しているスリーブコンジットを形成し、
前記中空のスリーブ部は、前記第２のヘッド端部と隣接し、前記ゴルフクラブヘッドにつながるシャフトの一部を覆うように構成されており、
前記プルストラップは、前記本体の前記ヘッド部につなげられており、
前記プルストラップは、前記ヘッド部の前記第１のヘッド端部に取り付けられている第１のストラップ端部と、前記ヘッド部の前記第２のヘッド端部に取り付けられている第２のストラップ端部とを形成し、
前記本体と前記プルストラップは、個人の手の一部分を入れ込むように構成された空洞を形成し、
前記プルストラップの前記第１のストラップ端部は、前記プルストラップの前記第２のストラップ端部より幅広である、ヘッドカバー。
【請求項２】
前記第１のヘッド端部は、前記ゴルフクラブヘッドが前記中空室内に配置される場合に前記ゴルフクラブヘッドの前記トゥー部分を嵌め込むように構成されており、
前記第２のヘッド端部は、前記ゴルフクラブヘッドが前記中空室内に配置される場合に前記ゴルフクラブヘッドの前記ヒール部分を嵌め込むように構成されており、
前記中空室は、前記第１のヘッド端部又は前記第１のヘッド端部の近傍が、前記第２のヘッド端部又は前記第２のヘッド端部の近傍より広い、請求項１に記載のヘッドカバー。
【請求項３】
前記プルストラップの前記第１のストラップ端部は、前記ヘッド部の前記第１のヘッド端部に取り付けられており、
前記プルストラップの前記第２のストラップ端部は、前記ヘッド部の前記第２のヘッド端部に取り付けられている、請求項１又は２に記載のヘッドカバー。
【請求項４】
前記ヘッド部と前記中空のスリーブ部は、Ｌ字型の形状を形成する、請求項１〜３のいずれか一項に記載のヘッドカバー。
【請求項５】
前記ヘッド部の前記中空室の大きさは、前記ヘッド部の前記第２のヘッド端部から前記第１のヘッド端部にかけて増大する、請求項１〜４のいずれか一項に記載のヘッドカバー。
【請求項６】
前記プルストラップは、前記本体の前記ヘッド部と一体化している、請求項１〜５のいずれか一項に記載のヘッドカバー。
【請求項７】
前記プルストラップは、前記本体の前記ヘッド部に着脱不能に取り付けられる、請求項１〜５のいずれか一項に記載のヘッドカバー。
【請求項８】
前記プルストラップは、その長さが１２０．６５ｍｍから１７７．８ｍｍであり、
前記プルストラップの前記第２のストラップ端部又はその近傍における幅が５０．８ｍｍから７６．２ｍｍであり、
前記プルストラップの前記第１のストラップ端部又はその近傍における幅が１０１．６ｍｍから１５２．４ｍｍである、請求項１〜７のいずれか一項に記載のヘッドカバー。
【請求項９】
前記ゴルフクラブヘッドは、ドライバーゴルフクラブ、ウッドゴルフクラブ、アイアンゴルフクラブ、ハイブリッド型ゴルフクラブ、又はパターゴルフクラブに関する、請求項１〜８のいずれか一項に記載のヘッドカバー。
【請求項１０】
前記中空のスリーブ部は、ハンドル部を備え、
前記ハンドル部は、前記ゴルフクラブヘッドが前記中空室内に配置され、且つ、前記シャフトの一部が前記スリーブ部内に配置されるように、前記ヘッドカバーを引っ張って前記ゴルフクラブヘッドの上に乗せる補助をするように構成されている、請求項１〜９のいずれか一項に記載のヘッドカバー。
【請求項１１】
前記中空のスリーブ部は、前記本体の前記ヘッド部に隣接する先端部と、
前記本体の前記ヘッド部から最も離れたところに位置する中心部と、を備える、請求項１〜１０のいずれか一項に記載のヘッドカバー。
【請求項１２】
前記本体は、レザー、ネオプレン、ポリエチレン、ポリウレタン、合成ゴム、アクリロニトリルブタジエンスチレン、プラスチック、又は繊維素材のうち、少なくとも一つから成る、請求項１〜１１のいずれか一項に記載のヘッドカバー。
【請求項１３】
前記プルストラップは、前記第１のストラップ端部から前記第２のストラップ端部にかけて、直線的に細くなっている、請求項１〜１２のいずれか一項に記載のヘッドカバー。
【請求項１４】
前記プルストラップは、前記第１のストラップ端部から前記第２のストラップ端部にかけて、非直線的に細くなっている、請求項１〜１２のいずれか一項に記載のヘッドカバー。
【請求項１５】
ゴルフクラブヘッドを覆うように構成された、第１のヘッド端部と、第２のヘッド端部と、一つの室と、を画定し、
スリーブ部と連通するヘッド部を備える本体を形成するステップと、
前記室と連通しているスリーブコンジットを備える前記スリーブ部を形成するステップと、
前記ヘッド部にプルストラップを形成するステップを含み、
前記スリーブコンジットは、前記スリーブ部内において、前記ゴルフクラブヘッドが前記スリーブコンジットを通って前記室まで入ることを許容するように構成されており、
前記プルストラップは、前記ヘッド部の前記第１のヘッド端部に取り付けられている第１のストラップ端部と、前記ヘッド部の前記第２のヘッド端部に取り付けられている第２のストラップ端部と、を画定し、
前記本体と前記プルストラップは、個人の手の一部分が通過することを許容する空洞を形成し、
前記プルストラップの前記第１のストラップ端部は、前記プルストラップの前記第２のストラップ端部より幅広である、方法。
【請求項１６】
前記ヘッド部に対し、着脱不能に、もしくは着脱可能なように取り付けられる前記プルストラップを形成するステップを含む、請求項１５に記載の方法。
【請求項１７】
前記プルストラップを形成するステップは、前記プルストラップの前記第１のストラップ端部を、前記ヘッド部の前記第１のヘッド端部に取り付け、前記プルストラップの前記第２のストラップ端部を、前記ヘッド部の前記第２のヘッド端部に取り付け、
前記室は、前記第１のヘッド端部又は前記第１のヘッド端部の近傍が、前記第２のヘッド端部又は前記第２のヘッド端部の近傍より広い、請求項１５または１６に記載の方法。
【請求項１８】
レザー、ネオプレン、ポリエチレン、ポリウレタン、合成ゴム、アクリロニトリルブタジエンスチレン、プラスチック、又は繊維素材のうち、少なくとも一つから成る前記本体を形成するステップを含む、請求項１５〜１７のいずれか一項に記載の方法。
【請求項１９】
ヘッドカバーであって、
前記ヘッドカバーは、本体とプルストラップとを備え、
前記本体は、ヘッド部と中空のスリーブ部とを備え、
前記ヘッド部は、トゥー部分とヒール部分を有するゴルフクラブヘッドを収容するように構成された中空室を形成し、
前記ヘッド部はさらに、第１のヘッド端部と第２のヘッド端部とを形成し、
前記中空のスリーブ部は、前記中空室と連通しているスリーブコンジットを形成し、
前記中空のスリーブ部は、前記ゴルフクラブヘッドにつながるシャフトの一部を覆うように構成されており、
前記プルストラップは、前記本体の前記ヘッド部につなげられており、
前記プルストラップは、第１のストラップ部と、第２のストラップ部と、第３のストラップ部とを形成し、
前記各ストラップ部は、前記ヘッド部の３つの異なる部分にそれぞれつなげられる端部を有し、
前記本体と前記プルストラップは、個人の手の一部分を入れ込むように構成された少なくとも一つの空洞を形成し、
前記第１のストラップ部は、前記第２のストラップ部又は前記第３のストラップ部より幅広である、ヘッドカバー。
【請求項２０】
前記第１のヘッド端部は、前記ゴルフクラブヘッドが前記中空室内に配置される場合に前記ゴルフクラブヘッドのトゥー部分を嵌め込むように構成されており、
前記第２のヘッド端部は、前記ゴルフクラブヘッドが前記中空室内に配置される場合に前記ゴルフクラブヘッドのヒール部分を嵌め込むように構成されており、
前記中空室は、前記第１のヘッド端部又は前記第１のヘッド端部の近傍が、前記第２のヘッド端部又は前記第２のヘッド端部の近傍より広い、請求項１９に記載のヘッドカバー。
【請求項２１】
前記第１のストラップ部、前記第２のストラップ部、及び前記第３のストラップ部は、あわせて略Ｙ字型の形状を形成する、請求項１９または２０のいずれか一項に記載のヘッドカバー。
【請求項２２】
前記第１のストラップ部は、前記第２のストラップ部又は前記第３のストラップ部より長い、請求項１９〜２１のいずれか一項に記載のヘッドカバー。
【請求項２３】
前記プルストラップは、前記第１のストラップ部、前記第２のストラップ部、及び前記第３のストラップ部のうち、少なくとも一つに沿ってつかむことができる、請求項１９〜２２のいずれか一項に記載のヘッドカバー。
【請求項２４】
前記少なくとも一つの空洞は、前記ヘッド部に対して３つの異なる方向で、前記個人の手によってアクセスされる、請求項１９〜２３のいずれか一項に記載のヘッドカバー。
【請求項２５】
ゴルフクラブヘッドを覆うように構成された、第１のヘッド端部と、第２のヘッド端部と、第３のヘッド端部と、第４のヘッド端部と、一つの室と、から成ると共に、ヘッド部を備える本体を形成するステップと、
前記室と連通しているスリーブコンジットを備えるスリーブ部を形成するステップと、
前記ヘッド部につなげられるプルストラップを形成するステップと、を含み、
前記スリーブ部を形成するステップは、前記スリーブコンジットが、前記ゴルフクラブヘッドが前記スリーブコンジットを通って前記室まで入ることを許容するように構成され、
前記プルストラップには、前記ヘッド部の３つの異なる部分にそれぞれつなげられる端部を有する、第１のストラップ部と、第２のストラップ部と、第３のストラップ部と、が形成されており、
前記本体と前記プルストラップは、個人の手の一部分が通過することを許容する少なくとも一つの空洞を形成し、
前記第１のストラップ部は、前記第２のストラップ部又は前記第３のストラップ部より幅広である、方法。
【請求項２６】
前記プルストラップを形成するステップは、前記第１のストラップ部の前記端部を前記第１のヘッド端部に取り付け、前記第２のストラップ部の前記端部を前記第３のヘッド端部と前記第２のヘッド端部との間に取り付け、前記第３のストラップ部の前記端部を前記第４のヘッド端部と前記第２のヘッド端部との間に取り付ける、請求項２５に記載の方法。
【請求項２７】
前記プルストラップを形成するステップは、前記第２のストラップ部と前記第３のストラップ部に対して横方向に前記第１のストラップ部を構成する、請求項２５または２６に記載の方法。
【発明の詳細な説明】
【技術分野】
【０００１】
本開示はクラブヘッドカバーに関する。特に、ゴルフクラブヘッドからゴルフクラブヘッドカバーを取り外すためのプルストラップを備えたクラブヘッドカバーに関する。
【背景技術】
【０００２】
ゴルフクラブの性能を維持しながらなるべく長く使用するためには、適切な手入れが必要とされる。適切な手入れの重要な一側面として、ゴルフクラブの未使用期間における、他のクラブヘッドとの衝突、或いは環境要素への暴露による損傷からクラブヘッドを守ることが挙げられる。そのため、クラブヘッドカバーが、パターゴルフクラブやウッドゴルフクラブなどの様々なタイプのゴルフクラブに幅広く使用されている。
【発明の概要】
【発明が解決しようとする課題】
【０００３】
通常、多くの既存のクラブヘッドカバーは、ヘッドカバーをしっかりつかむことにより取り外される。ゴルフクラブヘッドからヘッドカバーを取り外すにあたり、個人は、つかむことができればヘッドカバーのどこをつかんでもよく、それは大抵ヘッドカバーの余分な素材をつまんだり押しつぶしたりすることにつながる。しかし、そのような手法は煩わしいことがある。ゴルフクラブヘッドからクラブヘッドカバーを取り外すのを補助するストラップを備えたヘッドカバーがあるが、そのようなストラップは細く、幅が一定であるため、個人がクラブヘッドカバーを効率よく取り外すために、適切につかんだり持ったりすることが難しい場合がある。さらに、ゴルフクラブからクラブヘッドカバーを取り外すためにそのような細いストラップに力が加えられるため、繰り返し使用するうちに、ヘッドカバーの素材が過度に伸びてしまったり長くなってしまったりすることもある。このような動作により、個人がゴルフクラブヘッドからヘッドカバーを取り外そうとする際に、ゴルフクラブのシャフトを曲げてしまったり、シャフトにストレスをかけてしまったりする場合もある。さらに、細いプルストラップは、定常的な使用によりストレスポイントが形成され、時間の経過と共に損傷し、壊れてしまうこともある。本明細書で説明される技術は、ゴルフクラブヘッドからヘッドカバーを容易に取り外すことを可能にするゴルフクラブヘッドカバーを開示する。
【課題を解決するための手段】
【０００４】
本明細書に開示された技術は、ゴルフクラブヘッドカバーにおいて実現することができる。ヘッドカバーは本体とプルストラップとを備える。本体はヘッド部と中空のスリーブ部とを備える。ヘッド部はトゥー部分とヒール部分を有するゴルフクラブヘッドを収容するように構成された中空室を形成する。ヘッド部はさらに、第１のヘッド端部と第２のヘッド端部とを形成する。第１及び第２のヘッド端部は互いに反対に位置している。中空のスリーブ部は、中空室と連通しているスリーブコンジット（管状の部分）を形成する。中空のスリーブ部は第２のヘッド端部と隣接し、ゴルフクラブヘッドにつながるシャフトの一部を覆うように構成されている。プルストラップは本体のヘッド部につなげられている。プルストラップは、第１のストラップ端部と第２のストラップ端部とを形成する。第１のストラップ端部は、ヘッド部の第１のヘッド端部に取り付けられている。第２のストラップ端部は、ヘッド部の第２のヘッド端部に取り付けられている。本体とプルストラップは、個人の手の一部を入れ込むように構成された空洞を形成する。そのようなゴルフクラブヘッドカバーは、クラブヘッドからクラブヘッドカバーを容易に取り外すことを可能にする。
【図面の簡単な説明】
【０００５】
【図１】スリーブ部と、プルストラップを含むヘッド部を示すクラブヘッドカバーの実施形態の斜視図である。
【図２】クラブヘッドカバーの背面図である。
【図３】クラブヘッドカバーの正面図である。
【図４】プルストラップの第１の方向を例示するクラブヘッドカバーの平面図である。
【図５】中空室とスリーブコンジットを透視的に例示するクラブヘッドカバーの側面図である。
【図６】ゴルフクラブに嵌め込まれたクラブヘッドカバーの透視的な側面図である。
【図７】スリーブ部の一体的なループを示すクラブヘッドカバーの背面図である。
【図８】スリーブ部のタブを示すクラブヘッドカバーの背面図である。
【図９】スリーブ部の孔を示すクラブヘッドカバーの背面図である。
【図１０】スリーブ部のリングを示すクラブヘッドカバーの背面図である。
【図１１】スリーブ部のコード配置を示すクラブヘッドカバーの背面図である。
【図１２】プルストラップの第２の方向を示すクラブヘッドカバーの平面図である。
【図１３】プルストラップの第３の方向を示すクラブヘッドカバーの平面図である。
【図１４】プルストラップの第４の方向を示すクラブヘッドカバーの平面図である。
【図１５】クラブヘッドカバーの製造方法を例示するフローチャートである。
【図１６】クラブヘッドカバーの別の製造方法を例示するフローチャートである。
【図１７】スリーブ部と、Ｙ字型のプルストラップを含むヘッド部とを示すクラブヘッドカバーの別の実施形態の斜視図である。
【図１８】中空室とスリーブコンジットを例示するクラブヘッドカバーであり、その中に配置されるゴルフクラブを透視的に示したクラブヘッドカバーの側面図である。
【図１９】Ｙ字型のプルストラップ付のゴルフクラブカバーの背面図である。
【図２０】Ｙ字型のプルストラップ付のゴルフクラブカバーの正面図である。
【図２１】中空室とスリーブコンジットを透視的に例示するゴルフクラブカバーの対応する側面図である。
【図２２】ゴルフクラブカバーの中に配置されるゴルフクラブのシャフトを透視的に示したゴルフクラブカバーの底面図である。
【図２３】Ｙ字型のプルストラップの第１の方向を例示するゴルフクラブカバーの平面図である。
【図２４】Ｙ字型のプルストラップの第２の方向を例示するゴルフクラブカバーの平面図である。
【図２５】Ｙ字型のプルストラップの第３の方向を例示するゴルフクラブカバーの平面図である。
【図２６】Ｙ字型のプルストラップの第４の方向を例示するゴルフクラブカバーの平面図である。
【図２７】ゴルフクラブカバーの製造方法を例示するフローチャートである。
【図２８】スリーブ部と、Ｉ字型のプルストラップを含むヘッド部とを示すゴルフクラブカバーのさらに別の実施形態の斜視図である。
【図２９】図２８に示されたＩ字型のプルストラップが付いたゴルフクラブカバーの別の斜視図である。
【図３０】Ｉ字型のプルストラップが付いたゴルフクラブカバーの背面図である。
【図３１】Ｉ字型のプルストラップが付いたゴルフクラブカバーの正面図である。
【図３２】中空室とスリーブコンジットを透視的に示したゴルフクラブカバーの側面図である。
【図３３】中空室とスリーブコンジットを透視的に示した図３２のゴルフクラブカバーの反対側の側面図である。
【図３４】ゴルフクラブカバーの中に配置されるゴルフクラブのシャフトを示したゴルフクラブカバーの底面図である。
【図３５】Ｉ字型のプルストラップの第１の方向を例示したゴルフクラブカバーの平面図である。
【図３６】Ｉ字型のプルストラップの第２の方向を例示したゴルフクラブカバーの平面図である。
【図３７】Ｉ字型のプルストラップの第３の方向を例示したゴルフクラブカバーの平面図である。
【図３８】Ｉ字型のプルストラップの第４の方向を例示したゴルフクラブカバーの平面図である。
【図３９】Ｉ字型のプルストラップが付いたゴルフクラブカバーの製造方法を例示したフローチャートである。
【実施例】
【０００６】
以下で説明されるように、改善されたプルストラップと、そのようなクラブヘッドカバーの製造方法とを有するクラブヘッドカバーは、ゴルフクラブヘッドからクラブヘッドカバーを容易に取り外すことができるように構成されている。
【０００７】
ゴルフクラブの性能を維持しながらなるべく長く使用するためには、適切な手入れが必要とされる。適切な手入れの重要な一側面として、ゴルフクラブの未使用期間における、他のクラブヘッドとの衝突、或いは環境要素への暴露による損傷からクラブヘッドを守ることが挙げられる。そのため、クラブヘッドカバーが、パターゴルフクラブやウッドゴルフクラブなどの様々なタイプのゴルフクラブに幅広く使用されている。通常、多くの既存のクラブヘッドカバーは、ヘッドカバーをしっかりつかむことにより取り外される。ゴルフクラブヘッドからヘッドカバーを取り外すにあたり、個人がつかむことができれば、ヘッドカバーのどこをつかんでもよく、それは大抵ヘッドカバーの余分な素材をつまんだり押しつぶしたりすることにつながる。しかし、そのような手法は煩わしいことがある。ゴルフクラブヘッドからクラブヘッドカバーを取り外すのを補助するストラップを備えたヘッドカバーがあるが、そのようなストラップは細く、幅が一定であるため、個人がクラブヘッドカバーをゴルフクラブヘッドから効率よく取り外すために、クラブヘッドカバーを適切につかんだり持ったりすることが難しい場合がある。ゴルフクラブヘッドからクラブヘッドカバーを取り外すためにそのような細いストラップに過剰な力が加えられることにより、クラブヘッドカバーの素材は、繰り返し取り外す内に過度に伸びたり長くなったりする。そのため、クラブヘッドカバーがゴルフクラブヘッドに嵌められる場合に、クラブヘッドカバーがきちんとフィットしなかったり、垂れ下がったりすることが起こり得る。
（第１の実施形態）
【０００８】
図面を参照して、クラブヘッドカバーの実施形態が例示される。図１から図３９において、クラブヘッドカバーは、広く１００、２００、３００、４００、５００、６００、７００、８００、９００、１１００、１２００、１３００、１４００、１５００、１６００、１７００、１８００で示される。図１から図６に示される、符号１００が付されたクラブヘッドカバーの実施形態は、一般に、細長く伸縮性のある本体１１８を含んでいてもよい。その本体１１８は、ゴルフクラブ１１２を覆うように構成されたヘッド部１２０とスリーブ部１２２を形成する。一つの実施形態では、ヘッド部１２０とスリーブ部１２２はＬ字型の形状を形成してもよい。いくつかの実施形態では、ヘッド部１２０は、ゴルフクラブ１１２のゴルフクラブヘッド１１４を収容し、完全に覆うように構成された中空室１３４を形成し、一方、スリーブ部１２２は中空室１３４と連通しているスリーブコンジット１６２を形成する。スリーブ部１２２において、スリーブコンジット１６２は開口端１５８を形成する。開口端１５８はゴルフクラブヘッド１１４がスリーブコンジット１６２を通ることを許容し、一旦ゴルフクラブヘッド１１４が完全に中空室１３４内に配置されたら、ゴルフクラブ１１２のシャフト１１６の一部がスリーブ部１２２によって覆われることを許容する。さらに、中空のスリーブ部１２２はヘッド部１２０に隣接して形成された先端部１４４と、伸縮性のある本体１１８のヘッド部１２０から最も離れたところに位置する中心部１４６とを画定する。いくつかの実施形態では、ゴルフクラブ１１２は、ドライバーゴルフクラブ、ウッドゴルフクラブ、アイアンゴルフクラブ、ハイブリッドタイプゴルフクラブ、またはパターゴルフクラブのうち少なくとも一つと関連付けられる。しかしながら、本明細書で説明される装置、製造品、方法はこれに限られない。
【０００９】
図５及び図６を参照すると、ゴルフクラブヘッド１１４は、トゥー部分１６４とヒール部分１６６を画定し、ヘッド部１２０は第１のヘッド端部１３６と第２のヘッド端部１３８とを形成している。トゥー部分１６４とヒール部分１６６は、中空室１３４内に嵌め込まれる。ゴルフクラブヘッド１１４を中空室１３４内に配置すると、トゥー部分１６４とヒール部分１６６は、それぞれ第１のヘッド端部１３６と第２のヘッド端部１３８とに対応する。いくつかの実施形態では、ヘッド部１２０の中空室１３４は、ヘッド部１２０の第２のヘッド端部１３８から第１のヘッド端部１３６にかけて大きくなる。一つの実施形態では、中空室１３４は、第１のヘッド端部１３６又は第１のヘッド端部１３６の近傍が、第２のヘッド端部１３８又は第１のヘッド端部１３８の近傍より広い。さらに、プルストラップ１２４は、ヘッド部１２０に取り付けられているか、一体化しており、個人がゴルフクラブヘッド１１４からクラブヘッドカバー１００を取り外すことを許容するように構成されている。詳細は後述する。
【００１０】
図１から図５を参照すると、クラブヘッドカバー１００の伸縮性のある本体１１８は、さらにトップ部１２６、リア部１２７、フロント部１２８、第１の側部１３０、及び第２の側部１３２を画定しており、それらが合わさってクラブヘッドカバー１００の中空室１３４とスリーブコンジット１６２を形成する。プルストラップ１２４は、第１のストラップ端部１４０と第２のストラップ端部１４２を備えていてもよい。プルストラップ１２４の第１のストラップ端部１４０は第２のストラップ端部１４２よりも幅広である。図４に示されるように、一つの実施形態では、プルストラップ１２４の第２のストラップ端部１４２の幅７００は、およそ２．２５インチであるのに対し、プルストラップ１２４の第１のストラップ端部１４０の幅７０２はおよそ５インチである。さらに、プルストラップ１２４の内部の長さ７０４はおよそ４．７５インチであり、外部の長さ７０６はおよそ７インチである。いくつかの実施形態では、幅７００は１．２５から３インチの間の長さであり、幅７０２は４から６インチの間の長さであり、内部の長さ７０４は３．０から５．５インチの間の長さであり、外部の長さ７０６は５から８インチの間の長さであってもよい。本明細書で説明される装置、製造品、方法はこれに限られない。
【００１１】
いくつかの実施形態では、プルストラップ１２４とヘッド部１２０のトップ部１２６との間に空洞１６０が形成されるように、プルストラップ１２４がヘッド部１２０のトップ部１２６に取り付けられていてもよい。図４に示されるように、ヘッド部１２０は第１のヘッド端部１３６、第２のヘッド端部１３８、第３のヘッド端部１７０、及び第４のヘッド端部１７２によって形成され得る。トゥー部分１６４とヒール部分１６６に加えて、ゴルフクラブヘッド１１４は、バック部分とフェイス部分も画定する。バック部分とフェイス部分は、中空室１３４内に嵌め込まれる。ゴルフクラブヘッド１１４を中空室１３４内に配置すると、バック部分とフェイス部分は、それぞれ第３のヘッド端部１７０と第４のヘッド端部１７２とに対応する。
【００１２】
一つの実施形態では、プルストラップ１２４は、第１の方向でヘッド部１２０のトップ部１２６に取り付けられ得る。図４に例示されるように、第１の方向では、プルストラップ１２４の第１のストラップ端部１４０は、ヘッド部１２０の第１のヘッド端部１３６に取り付けられるか一体化しており、プルストラップ１２４の第２のストラップ端部１４２は、ヘッド部１２０の第２のヘッド端部１３８に取り付けられるか一体化している。第１のストラップ端部１４０は、第２のストラップ端部１４２よりも幅広であるため、プルストラップ１２４は第１のヘッド端部１３６から第２のヘッド端部１３８にかけて細くなっている。例えば、図６に戻って参照すると、ヘッド部１２０の第１のヘッド端部１３６における中空室１３４は、ゴルフクラブヘッド１１４のトゥー部分１６４を覆っていてもよい。一方において、ヘッド部１２０の第２のヘッド端部１３８もしくは第２のヘッド端部１３８の近傍における中空室１３４は、ゴルフクラブヘッド１１４のヒール部分１６６を覆っていてもよい。この方向では、プルストラップ１２４を握っている個人は、ゴルフクラブヘッド１１４のヒール部分１６６より、ゴルフクラブヘッド１１４のトゥー部分１６４に対して、より大きな上方の力を印加できる。しかしながら、他の実施形態では、プルストラップ１２４は、異なった方向に向けられていてもよい。
【００１３】
図１２を参照して、符号７００を付されたクラブヘッドカバーの実施形態は、ヘッド部７２０を含んでおり、ヘッド部７２０は、第１のヘッド端部７３６、第２のヘッド端部７３８、第３のヘッド端部７７０、第４のヘッド端部７７２を画定している。プルストラップ１２４と対比して、符号７２４を付されたプルストラップは、第２の方向でヘッド部７２０に取り付けられるか一体化している。第２の方向では、プルストラップ７２４の第１のストラップ端部７４０は、第２のヘッド端部７３８に取り付けられるか一体化しており、プルストラップ７２４の第２のストラップ端部７４２は、第１のヘッド端部７３６に取り付けられるか一体化している。図４のプルストラップ１２４と対比して、図１２の第１のストラップ端部７４０は、第２のストラップ端部７４２よりも幅広であるため、プルストラップ７２４は第２のヘッド端部７３８から第１のヘッド端部７３６にかけて細くなっている。図４のプルストラップ１２４は第１のヘッド端部１３６から第２のヘッド端部１３８にかけて細くなっている。そのため、プルストラップ７２４は、プルストラップ１２４とは反対の方向に、ヘッド部７２０に取り付けられている。例えば、図６に示されるように、第１のヘッド端部７３６における中空室１３４は、ゴルフクラブヘッド１１４のトゥー部分１６４を覆っていてもよい。一方において、第２のヘッド端部７３８もしくは第２のヘッド端部７３８の近傍における中空室１３４は、ゴルフクラブヘッド１１４のヒール部分１６６を覆っていてもよい。この方向では、プルストラップ７２４を握っている個人は、ゴルフクラブヘッド１１４のトゥー部分１６４より、ゴルフクラブヘッド１１４のヒール部分１６６に対して、より大きな上方の力を印加できる。図に示されるように、プルストラップ７２４はヘッド部１２０における縦方向に延びている。
【００１４】
図１３を参照して、符号８００を付されたクラブヘッドカバーの実施形態は、ヘッド部８２０を含んでおり、ヘッド部８２０は、第１のヘッド端部８３６、第２のヘッド端部８３８、第３のヘッド端部８７０、第４のヘッド端部８７２を画定している。図１２に示されるプルストラップ７２４と対比して、符号８２４を付されたプルストラップは、第３の方向でヘッド部８２０に取り付けられるか一体化している。第３の方向は、プルストラップ１２４又はプルストラップ７２４のどちらに対しても、それらを横切る方向である。そのため、プルストラップ８２４の第１のストラップ端部８４０は、第４のヘッド端部８７２に取り付けられるか一体化しており、プルストラップ８２４の第２のストラップ端部８４２は、第３のヘッド端部８７０に取り付けられるか一体化している。図１３の第１のストラップ端部８４０は、第２のストラップ端部８４２よりも幅広であるため、プルストラップ８２４は第４のヘッド端部８７２から第３のヘッド端部８７０にかけて細くなっている。これは、図４のプルストラップ１２４を時計回りに９０度回転し、第１のストラップ端部１４０が第４のヘッド端部１７２に位置するようにし、第２のストラップ端部１４２が第３のヘッド端部１７０に位置するようにしたものと類似する。この方向では、プルストラップ８２４を握っている個人は、クラブヘッドカバー８００を取り外す際に、ゴルフクラブヘッド１１４のフェイス部分より、ゴルフクラブヘッド１１４のバック部分に対して、より大きな上方の力を印加できる。図１２で示される実施形態とさらに対比すると、プルストラップ８２４は実質的には幅７０２に沿って延びているため、プルストラップ８２４は、プルストラップ７２４より比較的に短くてもよい。図に示されるように、プルストラップ８２４はヘッド部８２０における横方向に延びている。一形態において、プルストラップ８２４は、右利きの個人がつかむ用に構成されている。
【００１５】
図１４を参照して、符号９００を付されたクラブヘッドカバーの実施形態は、ヘッド部９２０を含んでおり、ヘッド部９２０は、第１のヘッド端部９３６、第２のヘッド端部９３８、第３のヘッド端部９７０、第４のヘッド端部９７２を画定している。図１３のプルストラップ８２４と対比して、符号９２４を付されたプルストラップは、第４の方向でヘッド部９２０に取り付けられるか一体化している。第４の方向は、プルストラップ８２４と反対の方向である。そのため、プルストラップ９２４の第１のストラップ端部９４０は、第３のヘッド端部９７０に取り付けられるか一体化しており、プルストラップ９２４の第２のストラップ端部９４２は、第４のヘッド端部９７２に取り付けられるか一体化している。図１４の第１のストラップ端部９４０は、第２のストラップ端部９４２よりも幅広であるため、プルストラップ９２４は第３のヘッド端部９７０から第４のヘッド端部９７２にかけて細くなっている。これは、図４のストラップ１２４を反時計回りに９０度回転し、第１のストラップ端部１４０が第４のヘッド端部１７２に位置するようにし、第２のストラップ端部１４２が第３のヘッド端部１７０に位置するようにしたものと類似する。この方向では、プルストラップ９２４を握っている個人は、クラブヘッドカバー９００を取り外す際に、ゴルフクラブヘッド１１４のバック部分より、ゴルフクラブヘッド１１４のフェイス部分に対して、より大きな上方の力を印加できる。一形態において、プルストラップ９２４はプルストラップ８２４と実質的に同じ幅７０２であってもよい。さらに、プルストラップ９２４は、左利きの個人がつかむ用に構成されている。図４及び図１２から図１４では、円形の平面図の代わりに、卵型あるいは楕円型の平面図が描かれているが、ヘッド部１２０、７２０、８２０、及び９２０の構成は、これに限られない。ヘッド部１２０は、様々な種類のゴルフクラブヘッド１１４を覆うことができる中空室１３４を形成するのに適した構成であればいかなる構成であってもよい。
【００１６】
図２に例示されるように、一つの実施形態では、個人は、透視的に図示されるように、例えば４本の指などの手を、プルストラップ１２４とヘッド部１２０のトップ部１２６との間に形成された空洞１６０に、Ａ方向又はＢ方向のどちらかから入れ込むことにより、クラブヘッドカバー１００を取り外してもよい。そして、個人は、一方の手でゴルフクラブ１１２のシャフト１１６などを持ちながら、プルストラップ１２４に対し、もう一方の手で上向きの力をＣ方向に印加して、ゴルフクラブヘッド１１４からゴルフクラブカバー１００を取り外す。そうすることで、個人はプルストラップ１２４の第１のストラップ端部１４０に対し、格段に大きな力を印加できる。なぜなら、第２のストラップ端部１４２側よりも、第１のストラップ端部１４０側の方が、ヘッド部１２０に取り付けられているプルストラップ１２４の素材を比例的に大きく占め、そのため、一定の幅で細いプルストラップのときよりも、格段に大きく均等な力が印加され、ゴルフクラブヘッド１１４からクラブヘッドカバー１００を取り外すことができるからである。プルストラップ１２４にそのような均等な力が印加されることで、クラブヘッドカバー１００がゴルフクラブ１１２の一部にひっかかり、クラブヘッドカバー１００を取り外しにくくなることを防げる。一定の細い幅を有するプルストラップは、クラブヘッドカバー１００の第１のヘッド端部１３６に対して、ゴルフクラブヘッド１１４からクラブヘッドカバー１００の取り外しを容易にするほどの大きな力を印加することができない。さらに、一定の細い幅を有するプルストラップは、個人の４本の指が十分な素材と接触してクラブヘッドカバー１００を容易に取り外すのに必要な力を印加できるように十分に構成された空洞１６０を形成することができない。図１から図４に示されるように、プルストラップ１２４は、縫い目がなく、クラブヘッドカバー１００のヘッド部１２０に一体化しており、美的外観を提供するように構成されている。
【００１７】
図７から図１１を参照して、クラブヘッドカバー１００のいくつかの実施形態では、クラブヘッドカバー１００は、クラブヘッドカバー１００の取り外しを補助するためのプルストラップ１２４に加えて、個人がクラブヘッドカバー１００をゴルフクラブヘッド１１４に嵌め込むのを補助するためのハンドル部を備えていてもよい。一つの実施形態では、図７に示されるように、符号２００を付されたクラブヘッドカバーは、プルストラップ２２４を備え、スリーブ部２２２はクラブヘッドカバー２００の素材で形成された、一体ループ２５６を備えていてもよい。一体ループ２５６は、個人がループ２５６をつかんで、クラブヘッドカバー２００を、ゴルフクラブヘッド１１４の全体がヘッド部２２０の中空室１３４内に配置されるまで、開口端２５８を経由してゴルフクラブヘッド１１４越しに引っ張ることを許容するように構成されている。別の実施形態では、図８に示されるように、符号３００を付されたクラブヘッドカバーは、プルストラップ３２４を備え、スリーブ部３２２は、スリーブ部３２２に沿って形成されたタブ３４８を備えていてもよい。タブ３４８は、個人がタブ３４８をつかんで、クラブヘッドカバー３００を、ゴルフクラブヘッド１１４の全体がヘッド部３２０の中空室１３４内に配置されるまで、開口端３５８を経由してゴルフクラブヘッド１１４越しに引っ張ることを許容するように構成されている。図９を参照して、一つの実施形態では、符号４００を付されたクラブヘッドカバーは、プルストラップ４２４を備え、孔４５０を備えていてもよい。孔４５０は、スリーブ部４２２に形成されており、個人が孔４５０をつかんで、クラブヘッドカバー４００を、ゴルフクラブヘッド１１４の全体がヘッド部４２０の中空室１３４内に配置されるまで、開口端４５８を経由してゴルフクラブヘッド１１４越しに引っ張ることを許容するように構成されている。さらに別の実施形態では、図１０に示されるように、符号５００を付されたクラブヘッドカバーは、プルストラップ５２４を備え、リング５５４を備えていてもよい。リング５５４は、スリーブ部５２２に取り付けられており、個人がリング５５４をつかんで、クラブヘッドカバー５００を、ゴルフクラブヘッド１１４の全体がヘッド部５２０の中空室１３４内に配置されるまで、開口端５５８を経由してゴルフクラブヘッド１１４越しに引っ張ることを許容するように構成されている。図１１を参照して、別の実施形態では、符号６００を付されたクラブヘッドカバーは、プルストラップ６２４を備え、コードアレンジメント６５２を備えていてもよい。コードアレンジメント６５２は、スリーブ部６２２の生地に縫い付けられており、個人がコードアレンジメント６５２をつかんで、クラブヘッドカバー６００を、ゴルフクラブヘッド１１４の全体がヘッド部６２０の中空室内に配置されるまで、開口端６５８を経由してゴルフクラブヘッド１１４越しに引っ張ることを許容するように構成されている。上記の実施形態では、クラブヘッドカバー２００、３００、４００、５００、及び６００をゴルフクラブヘッド１１４に嵌め込むための多様なハンドル部２５６、３４８、４５０、５５４、及び６５２がそれぞれ開示されているが、本明細書で説明される装置、製造品、方法はこれに限られない。
【００１８】
図１５を参照すると、フローチャートはクラブヘッドカバー１００の一つの製造方法を例示している。ブロック１０００では、クラブヘッドカバー１００が、ヘッド部１２０とスリーブ部１２２を有するように形成される。いくつかの実施形態では、クラブヘッドカバー１００は、レザー、ネオプレン、ポリエチレン、ポリウレタン、合成ゴム、アクリロニトリルブタジエンスチレン（ＡＢＳ）、プラスチック、又は繊維素材のうち、少なくとも一つから形成される。ブロック１００２では、ヘッド部１２０内に中空室１３４が形成される。中空室１３４は、ゴルフクラブヘッド１１４を覆うように構成されている。一つの実施形態では、中空室１３４は、第１のヘッド端部１３６又は第１のヘッド端部１３６の近傍の方が、第２のヘッド端部１３８又は第２のヘッド端部１３８の近傍よりも広い。ブロック１００４では、開口端１５８と連通するようなスリーブコンジット１６２が、スリーブ部１２２内に形成される。開口端１５８は、ゴルフクラブヘッド１１４がスリーブコンジット１６２内に入ることを許容するように構成されている。ブロック１００６では、プルストラップ１２４がヘッド部１２０に形成される。プルストラップ１２４の第１のストラップ端部１４０は、第２のストラップ端部１４２よりも幅広である。一つの実施形態では、プルストラップは、プルストラップ１２４をヘッド部１２０に縫い付けることにより形成される。いくつかの実施形態では、プルストラップ１２４の形成は、プルストラップ１２４の第１のストラップ端部１４０を第１のヘッド端部１３６に取り付け、プルストラップ１２４の第２のストラップ端部１４２を第２のヘッド端部１３８に取り付けることを含んでいてもよい。さらに、プルストラップ１２４の形成は、個人の手がプルストラップ１２４を通ってプルストラップ１２４をつかめるような空洞１６０を形成することを含んでいてもよい。
【００１９】
図１６を参照すると、フローチャートはクラブヘッドカバー１００のもう一つの製造方法を例示している。ブロック２０００では、クラブヘッドカバー１００が、ヘッド部１２０とスリーブ部１２２を有するように形成される。ブロック２００２では、ヘッド部１２０内に中空室が形成される。中空室は、ゴルフクラブヘッド１１４を覆うように構成されている。ブロック２００４では、開口端１５８と連通するようなスリーブコンジット１６２が、スリーブ部内に形成される。開口端１５８は、ゴルフクラブヘッド１１４がスリーブコンジット１６２内に入ることを許容するように構成されている。ブロック２００６では、スリーブ部１２２にハンドル部が形成される。ハンドル部は、個人の手がハンドル部をつかんで、クラブヘッドカバー１００をゴルフクラブヘッド１１４に嵌め込めるように構成されている。上記のフローチャートはクラブヘッドカバー１００の多様な製造方法を例示しているが、クラブヘッドカバー２００、３００、４００、５００、６００、７００、８００、及び９００の製造においても同じ製造方法が適用され得る。
（第２の実施形態）
【００２０】
図１７から図２３を参照して、符号１１００を付されたクラブヘッドカバーの別の実施形態を示す。クラブヘッドカバー１１００は伸縮性のある本体１１１８を有しており、本体１１１８は、ゴルフクラブ１１１２を覆うように構成されたヘッド部１１２０とスリーブ部１１２２を形成する（図１８及び図２２）。いくつかの実施形態では、ヘッド部１１２０とスリーブ部１１２２はＬ字型の形状を形成していてもよい。図１８に示すように、ヘッド部１１２０は中空室１１３４を画定し、中空室１１３４は、ゴルフクラブ１１１２のゴルフクラブヘッド１１１４を収容して完全に覆うように構成されている。一方、スリーブ部１１２２は中空室１１３４と連通するスリーブコンジット１１６２を形成する。スリーブコンジット１１６２は開口端１１５８を形成する。一旦ゴルフクラブヘッド１１１４の全体が中空室１１３４内に配置された場合、開口端１１５８は、ゴルフクラブヘッド１１１４がスリーブコンジット１１６２を通って、ゴルフクラブ１１１２のシャフト１１１６の一部がスリーブ部１１２２によって覆われることを許容する。さらに、スリーブ部１１２２は、伸縮性のある本体１１１８のヘッド部１１２０に隣接する先端部１１４４と、ヘッド部１１２０から最も離れたところに位置する中心部１１４６とを画定する。いくつかの実施形態では、ゴルフクラブ１１１２は、ドライバーゴルフクラブ、ウッドゴルフクラブ、アイアンゴルフクラブ、ハイブリッドタイプゴルフクラブ、またはパターゴルフクラブのうち少なくとも一つと関連付けられる。しかしながら、本明細書で説明される装置、製造品、方法はこれに限られない。
【００２１】
図１８から図２１を参照すると、ゴルフクラブヘッド１１１４はトゥー部分１１６４とヒール部分１１６６を画定し、ヘッド部１１２０は第１のヘッド端部１１３６と第２のヘッド端部１１３８とを形成している。トゥー部分１１６４とヒール部分１１６６は、中空室１１３４内に嵌め込まれる。ゴルフクラブヘッド１１１４を中空室１１３４内に配置すると、トゥー部分１１６４とヒール部分１１６６は、それぞれ第１のヘッド端部１１３６と第２のヘッド端部１１３８とに対応する。いくつかの実施形態では、ヘッド部１１２０の中空室１１３４は、ヘッド部１１２０の第２のヘッド端部１１３８から第１のヘッド端部１１３６にかけて大きくなる。一つの実施形態では、中空室１１３４は、第１のヘッド端部１１３６又は第１のヘッド端部１１３６の近傍が、第２のヘッド端部１１３８又は第１のヘッド端部１１３８の近傍より広い。さらに、プルストラップ１１２４は、ヘッド部１１２０に取り付けられているか、一体化しており、個人がゴルフクラブヘッド１１１４からクラブヘッドカバー１１００を取り外すことを許容するように構成されている。詳細は後述する。
【００２２】
図１７から２１を参照すると、クラブヘッドカバー１１００の伸縮性のある本体１１１８は、さらにトップ部１１２６、リア部１１２７、フロント部１１２８、第１の側部１１３０、及び第２の側部１１３２を画定しており、それらが合わさってクラブヘッドカバー１１００の中空室１１３４とスリーブコンジット１１６２を形成する。図２３に示すようないくつかの実施形態では、プルストラップ１１２４は、第１のストラップ部１１４０と、第２のストラップ部１１４１と、第３のストラップ部１１４２とを備えており、それらのストラップ部が合わさって実質的に三角形の形状又はＹ字型の形状を形成してもよい。三角形の形状又はＹ字型の形状の双方において、第１のストラップ部１１４０は、第２のストラップ部１１４１及び第３のストラップ部１１４２よりも幅広であり、第２のストラップ部１１４１と第３のストラップ部１１４２は同程度の幅を有する。他の実施形態では、第１のストラップ部１１４０は、第２のストラップ部１１４１と第３のストラップ部１１４２と同じ幅を有していてもよい。図２３に示されるように、一つの実施形態では、第１のストラップ部１１４０の幅７０８はおよそ２．２５インチであるのに対し、第２のストラップ部１１４１と第３のストラップ部１１４２の幅７１０及び幅７１２は、それぞれおよそ１インチであってもよい。さらに、第１のストラップ部１１４０の内部の長さ７１８はおよそ２．５インチであり、外部の長さ７１４はおよそ４インチであってもよい。一方、第２のストラップ部１１４１と第３のストラップ部１１４２を合わせた長さ７１６は、およそ３．７５インチであってもよい。さらに示されるように、第２のストラップ部１１４１の長さ７１３はおよそ１．５インチであり、第３のストラップ部１１４２の長さ７１５はおよそ１．５インチである。いくつかの実施形態では、第２のストラップ部１１４１と第３のストラップ部１１４２のそれぞれの長さ７１３と長さ７１５は、同じであってもよい。いくつかの実施形態では、幅７０８は１から３インチの間の長さであり、幅７１０及び幅７１２は０．５から２インチの間の長さであり、内部の長さ７１８は０．７５から２インチの間の長さであり、外部の長さ７１４は３．７５から６インチの間の長さであり、長さ７１３は１から２．５インチの間の長さであり、長さ７１５は１から２．５インチの間の長さであり、長さ７１６は３から５インチの間の長さであってもよい。本明細書で説明される装置、製造品、方法はこれに限られない。
【００２３】
いくつかの実施形態では、プルストラップ１１２４とヘッド部１１２０のトップ部１１２６との間に空洞１１６０が形成されるように、プルストラップ１１２４が、トップ部１１２６の少なくとも３つの異なる部分に取り付けられていてもよい。図２３に示されるように、ヘッド部１１２０は第１のヘッド端部１１３６、第２のヘッド端部１１３８、第３のヘッド端部１１７０、及び第４のヘッド端部１１７２によって形成され得る。トゥー部分１１６４とヒール部分１１６６に加えて、ゴルフクラブヘッド１１１４は、バック部分とフェイス部分も画定する。バック部分とフェイス部分は、中空室１１３４内に嵌め込まれる。ゴルフクラブヘッド１１１４を中空室１１３４内に配置すると、バック部分とフェイス部分は、それぞれ第３のヘッド端部１１７０と第４のヘッド端部１１７２とに対応する。
【００２４】
一つの実施形態では、プルストラップ１１２４は、第１の方向でヘッド部１１２０のトップ部１１２６に取り付けられ得る。第１の方向では、第１のストラップ部１１４０の端部は、ヘッド部１１２０の第１のヘッド端部１１３６に取り付けられるか一体化しており、第２のストラップ部１１４１の端部は、第２のヘッド端部１１３８と第３のヘッド端部１１７０の間に取り付けられるか一体化しており、第３のストラップ部１１４２の端部は、第２のヘッド端部１１３８と第４のヘッド端部１１７２の間に取り付けられるか一体化している。この方向では、第１のストラップ部１１４０は第１のヘッド端部１１３６から縦方向に延びており、一方において、第２のストラップ部１１４１は第３のヘッド端部１１７０からほぼ横方向に延びており、第３のストラップ部１１４２もまた第４のヘッド端部１１７２からほぼ横方向に延びている。例えば、図１８に戻って参照すると、ヘッド部１１２０の第１のヘッド端部１１３６における中空室１１３４は、ゴルフクラブヘッド１１１４のトゥー部分１１６４を覆っていてもよい。一方において、ヘッド部１１２０の第２のヘッド端部１１３８もしくは第２のヘッド端部１１３８の近傍における中空室１１３４は、ゴルフクラブヘッド１１１４のヒール部分１１６６を覆っていてもよい。この方向では、プルストラップ１１２４を握っている個人は、ゴルフクラブヘッド１１１４のトゥー部分１１６４より、ゴルフクラブヘッド１１１４のヒール部分１１６６に対して、より大きな上方の力を印加できる。しかしながら、他の実施形態では、プルストラップ１１２４は、異なった方向に向けられていてもよい。詳細は後述する。
【００２５】
図２４を参照して、符号１２００を付されたクラブヘッドカバーの実施形態は、ヘッド部１２２０を含んでおり、そのヘッド部１２２０は、第１のヘッド端部１２３６、第２のヘッド端部１２３８、第３のヘッド端部１２７０、及び第４のヘッド端部１２７２を画定するトップ部１２２６を有する。プルストラップ１１２４と対比して、プルストラップは、第２の方向でヘッド部１２２０に取り付けられるか一体化している。第２の方向では、第１のストラップ部１２４０の端部は、第２のヘッド端部１２３８に取り付けられるか一体化しており、一方、第２のストラップ部１２４１の端部は、第３のヘッド端部１２７０と第１のヘッド端部１２３６の間に取り付けられるか一体化しており、第３のストラップ部１２４２は、第１のヘッド端部１２３６と第４のヘッド端部１２７２の間に取り付けられるか一体化している。図２３のプルストラップ１１２４と対比して、プルストラップ１２２４の第１のストラップ部１２４０は、ヘッド部１２２０の第２のヘッド端部１２３８から第１のヘッド端部１２３６にかけて細くなっている。そのため、プルストラップ１２２４は、プルストラップ１１２４とは反対の方向に、ヘッド部１２２０に取り付けられている。図示されるように、第１のストラップ部１２４０は第２のヘッド端部１２３８から縦方向に延びており、一方において、第２のストラップ部１２４１は第３のヘッド端部１２７０からほぼ横方向に延びており、第３のストラップ部１２４２は第４のヘッド端部１２７２からほぼ横方向に延びている。この方向では、グラブヘッドカバー１２００を取り外す際、プルストラップ１２２４を握っている個人は、ゴルフクラブヘッド１１１４のヒール部分１１６６より、ゴルフクラブヘッド１１１４のトゥー部分１１６４に対して、より大きな上方の力を印加できる。
【００２６】
図２５を参照して、符号１３００を付されたクラブヘッドカバーの実施形態は、ヘッド部１３２０を含んでおり、そのヘッド部１３２０は、第１のヘッド端部１３３６、第２のヘッド端部１３３８、第３のヘッド端部１３７０、及び第４のヘッド端部１３７２を画定するトップ部１３２６を有する。プルストラップ１１２４及び１２２４と対比して、プルストラップは、第３の方向でヘッド部１３２０に取り付けられるか一体化している。第３の方向は、プルストラップ１１２４又はプルストラップ１２２４のどちらに対しても、それらを横切る方向である。そのため、第１のストラップ部１３４０の端部は、第４のヘッド端部１３７２に取り付けられるか一体化しており、第２のストラップ部１３４１の端部は、第２のヘッド端部１３３８と第３のヘッド端部１３７０の間に取り付けられるか一体化しており、第３のストラップ部１３４２の端部は、第１のヘッド端部１３３６と第３のヘッド端部１３７０の間に取り付けられるか一体化している。これは、図２３のプルストラップ１１２４を時計回りに９０度回転したものと類似する。この方向では、プルストラップ１３２４を握っている個人は、クラブヘッドカバー１３００を取り外す際に、ゴルフクラブヘッド１１１４のフェイス部分より、ゴルフクラブヘッド１１１４のバック部分に対して、より大きな上方の力を印加できる。図２３及び図２４で示される実施形態とさらに対比すると、プルストラップ１３２４は実質的には長さ７１６に沿って延びているため、プルストラップ１３２４は、プルストラップ１１２４及び１２２４より比較的に短くてもよい。図に示されるように、プルストラップ１３２４はヘッド部１３２０における横方向に延びている。一形態において、プルストラップ１３２４は、右利きの個人がつかむ用に構成されている。
【００２７】
図２６を参照して、符号１４００を付されたクラブヘッドカバーの実施形態は、ヘッド部１４２０を含んでおり、そのヘッド部１４２０は、第１のヘッド端部１４３６、第２のヘッド端部１４３８、第３のヘッド端部１４７０、第４のヘッド端部１４７２を画定するトップ部１４２６を有する。図２５のプルストラップ１３２４と対比して、プルストラップ１４２４は、第４の方向でヘッド部１４２０に取り付けられるか一体化している。第４の方向は、プルストラップ１３２４と反対の方向である。そのため、プルストラップ１４２４の第１のストラップ部１４４０の端部は、第３のヘッド端部１４７０に取り付けられるか一体化しており、一方、第２のストラップ部１４４１の端部は、第１のヘッド端部１４３６と第４のヘッド端部１４７２の間に取り付けられるか一体化しており、第３のストラップ部１４４２の端部は、第２のヘッド端部１４３８と第４のヘッド端部１４７２の間に取り付けられるか一体化している。第１のストラップ部１４４０は、プルストラップ１４２４が第３のヘッド端部１４７０から第４のヘッド端部１４７２にかけて細くなるように、第２のストラップ部１４４１又は第３のストラップ部１４４２のいずれよりも幅広であってもよい。これは、図２３のプルストラップ１１２４を反時計回りに９０度回転したものと類似する。この方向では、プルストラップ１４２４を握っている個人は、クラブヘッドカバー１４００を取り外す際に、ゴルフクラブヘッド１１１４のバック部分より、ゴルフクラブヘッド１１１４のフェイス部分に対して、より大きな上方の力を印加できる。さらに、プルストラップ１４２４は、左利きの個人がつかむ用に構成されている。図２３から図２６では、円形の平面図の代わりに、卵型あるいは楕円型の平面図が描かれているが、ヘッド部１１２０、１２２０、１３２０、及び１４２０の構成は、これに限られない。ヘッド部１１２０は、様々な種類のゴルフクラブヘッド１１１４を覆うことができる中空室１１３４を形成するのに適した構成であればいかなる構成であってもよい。
【００２８】
図２３に例示されるように、いくつかの実施形態では、個人は、プルストラップ１１２４によって形成される空洞１１６０に手を入れることによってクラブヘッドカバー１１００を取り外してもよい。例えば、個人は、真ん中の３本の指が空洞１１６０内に配置されるように、個人の手を、第２のストラップ部１１４１及び第３のストラップ部１１４２の下からＡ方向に入れてもよい。あるいは、個人は２本、３本、あるいは４本の指のいずれかを、第１のストラップ部１１４０の下から、Ｂ方向又はＣ方向のいずれかに入れてもよい。そうすることで、個人はクラブヘッドカバー１１００を取り外すために格段に大きな力を印加することができる。理由は次の通りである。プルストラップ１１２４の第１のストラップ部１１４０、第２のストラップ部１１４１、第３のストラップ部１１４２の３つのそれぞれの端部により、ヘッド部１１２０に沿って、３つの異なる部分で上方の力が印加される。そのため、一本のプルストラップを配置して、プルストラップがヘッド部１１２０と２点でしかつながっていないようなときよりも、格段に大きく均等な力がヘッド部１１２０に印加され、ゴルフクラブヘッド１１１４からクラブヘッドカバー１１００を取り外すことができる。プルストラップがヘッド部１１２０と２つの部分でしかつながっていないような一本のプルストラップを配置する場合は、クラブヘッドカバー１１００に取り付けられるか一体化している３つの異なる部分１１４０、１１４１、及び１１４２を形成するプルストラップ１１２４を配置する場合と異なり、クラブヘッドカバー１１００の３つの異なる部分に沿って力を印加することはできない。プルストラップ１１２４は、３つの異なる部分１１４０、１１４１、及び１１４２を形成することでゴルフクラブヘッド１１１２からクラブヘッドカバー１１００の取り外しを容易にする。さらに、一本のプルストラップを配置する場合は、プルストラップをつかむ方向は二方向のみに限定される。例えば、右手側の方向か左手側の方向に限定される。一方においてクラブヘッドカバー１１００は、個人が、Ａ方向、Ｂ方向、及びＣ方向で示される３つの異なる方向からプルストラップ１１２４をつかむことを許容するように構成されている。Ａ方向では、個人は、プルストラップ１１２４がＢ又はＣ方向のどちらかから引っ張られるときの方向を横切る方向にプルストラップ１１２４をつかむ。例えば、個人がＡ方向でプルストラップ１１２４をつかむ場合は、個人は、第２のストラップ部１１４１及び第３のストラップ部１１４２の下に形成される空洞１１６０の一部内でプルストラップ１１２４をつかむ。一方において、個人がＢ又はＣ方向のいずれかの方向でプルストラップ１１２４をつかむ場合は、個人は、第１のストラップ部１１４０の下に形成される空洞１１６０の一部内でプルストラップ１１２４をつかむ。
【００２９】
図１７に示されるように、プルストラップ１１２４は、縫い目がなく、クラブヘッドカバー１１００のヘッド部１１２０に一体化しており、美的外観を提供するように構成されている。
【００３０】
図２７を参照すると、フローチャートはクラブヘッドカバー１１００の一つの製造方法を例示している。ブロック２２００では、クラブヘッドカバーが、ヘッド部１１２０とスリーブ部１１２２を有するように形成される。いくつかの実施形態では、クラブヘッドカバー１１００は、レザー、ネオプレン、ポリエチレン、ポリウレタン、合成ゴム、アクリロニトリルブタジエンスチレン（ＡＢＳ）、プラスチック、又は繊維素材のうち、少なくとも一つから形成される。ブロック２２０２では、ヘッド部１１２０内に中空室１１３４が形成される。中空室１１３４は、ゴルフクラブヘッド１１１４を覆うように構成されている。一つの実施形態では、中空室１１３４は、第１のヘッド端部１１３６又は第１のヘッド端部１１３６の近傍の方が、第２のヘッド端部１１３８又は第２のヘッド端部１１３８の近傍よりも広い。ブロック２２０４では、開口端１１５８と連通するようなスリーブコンジット１１６２が、スリーブ部１１２２内に形成される。開口端１１５８は、ゴルフクラブヘッド１１１４がスリーブコンジット１１６２内に入ることを許容するように構成されている。ブロック２２０６では、プルストラップ１１２４がヘッド部１１２０に形成される。そのヘッド部１１２０は、第１のストラップ部１１４０、第２のストラップ部１１４１、及び第３のストラップ部１１４２を有しており、各ストラップ部は、ヘッド部１１２０の異なる任意の部分に取り付けられるか一体化している端部を有する。一つの実施形態では、プルストラップ１１２４は、プルストラップ１１２４をヘッド部１１２０に縫い付けることにより形成される。いくつかの実施形態では、プルストラップ１１２４の形成は、プルストラップ１１２４の第１のストラップ部１１４０を第１のヘッド端部１１３６に取り付け、プルストラップ１１２４の第２のストラップ部１１４１を第３のヘッド端部１１７０と第２のヘッド端部１１３８の間に取り付け、プルストラップ１１２４の第３のストラップ部１１４２を第４のヘッド端部１１７２と第２のヘッド端部１１３８の間に取り付けることを含んでいてもよい。さらに、プルストラップ１１２４の形成は、３つの異なる方向から個人の手がプルストラップ１１２４を通ってプルストラップ１１２４をつかめるような空洞１１６０を形成することを含んでいてもよい。
（第３の実施形態）
【００３１】
図２８から図３５を参照して、符号１５００を付されたクラブヘッドカバーの別の実施形態を示す。クラブヘッドカバー１５００は伸縮性のある本体１５１８を有しており、本体１５１８は、ゴルフクラブ１５１２を覆うように構成されたヘッド部１５２０とスリーブ部１５２２を形成する（図３３）。いくつかの実施形態では、ヘッド部１５２０とスリーブ部１５２２はＬ字型の形状を形成していてもよい。図３３に示すように、ヘッド部１５２０は中空室１５３４を画定し、中空室１５３４は、ゴルフクラブ１５１２のゴルフクラブヘッド１５１４を収容して完全に覆うように構成されている。一方、スリーブ部１５２２は中空室１５３４と連通するスリーブコンジット１５６２を形成する。スリーブコンジット１５６２は開口端１５５８を形成する。一旦ゴルフクラブヘッド１５１４の全体が中空室１５３４内に配置された場合、開口端１５５８は、ゴルフクラブヘッド１５１４がスリーブコンジット１５６２を通って、ゴルフクラブ１５１２のシャフト１５１６の一部がスリーブ部１５２２によって覆われることを許容する。さらに、スリーブ部１５２２は、伸縮性のある本体１５１８のヘッド部１５２０に隣接する先端部１５４４と、ヘッド部１５２０から最も離れたところに位置する中心部１５４６とを画定する。いくつかの実施形態では、ゴルフクラブ１５１２は、ドライバーゴルフクラブ、ウッドゴルフクラブ、アイアンゴルフクラブ、ハイブリッドタイプゴルフクラブ、またはパターゴルフクラブのうち少なくとも一つと関連付けられる。しかしながら、本明細書で説明される装置、製造品、方法はこれに限られない。
【００３２】
図３２から図３３を参照すると、ゴルフクラブヘッド１５１４はトゥー部分１５６６とヒール部分１５６４を画定し、ヘッド部１５２０は第１のヘッド端部１５３６と第２のヘッド端部１５３８とを形成している。トゥー部分１５６６とヒール部分１５６４は、中空室１５３４内に嵌め込まれる。ゴルフクラブヘッド１５１４を中空室１５３４内に配置すると、トゥー部分１５６６とヒール部分１５６４は、それぞれ第１のヘッド端部１５３６と第２のヘッド端部１５３８とに対応する。いくつかの実施形態では、ヘッド部１５２０の中空室１５３４は、ヘッド部１５２０の第２のヘッド端部１５３８から第１のヘッド端部１５３６にかけて大きくなる。一つの実施形態では、中空室１５３４は、第１のヘッド端部１５３６又は第１のヘッド端部１５３６の近傍が、第２のヘッド端部１５３８又は第１のヘッド端部１５３８の近傍より広い。さらに、プルストラップ１５２４は、ヘッド部１５２０に取り付けられているか、一体化しており、個人がゴルフクラブヘッド１５１４からクラブヘッドカバー１５００を取り外すことを許容するように構成されている。詳細は後述する。
【００３３】
図２８から３１を参照すると、クラブヘッドカバー１５００の伸縮性のある本体１５１８は、さらにトップ部１５２６、リア部１５２７、フロント部１５２８、第１の側部１５３０、及び第２の側部１５３２を画定しており、それらが合わさってクラブヘッドカバー１５００の中空室１５３４とスリーブコンジット１５６２を形成する。一つの実施形態では、プルストラップ１５２４は第１のストラップ端部１５４０と第２のストラップ端部１５４２を備えていてもよい。プルストラップ１５２４の第１のストラップ端部１５４０は第２のストラップ端部１５４２よりも幅広である。図３５に示されるように、一つの実施形態では、プルストラップ１５２４の第２のストラップ端部１５４２の幅７２０は、およそ１．５インチであるのに対し、プルストラップ１５２４の第１のストラップ端部１５４０の幅７２２はおよそ３．７５インチである。さらに、ヘッド部１５２０のトップ部１５２６の長さ７２４はおよそ６インチであり、長さ７２４は、プルストラップ１５２４の全長に相当する。また、トップ部１５２６の幅７２６はおよそ５．５インチである。いくつかの実施形態では、幅７２０は１から３インチの間の長さであり、幅７２２は３から５．５インチの間の長さであり、長さ７２４は５から８インチの間の長さであり、幅７２６は４から６インチの間の長さであってもよい。本明細書で説明される装置、製造品、方法はこれに限られない。
【００３４】
いくつかの実施形態では、プルストラップ１５２４とヘッド部１５２０のトップ部１５２６との間に空洞１５６０が形成されるように、プルストラップ１５２４が、ヘッド部１５２０のトップ部１５２６に取り付けられていてもよい。図３５に示されるように、ヘッド部１５２０は第１のヘッド端部１５３６、第２のヘッド端部１５３８、第３のヘッド端部１５７０、及び第４のヘッド端部１５７２によって形成され得る。トゥー部分１５６６とヒール部分１５６４に加えて、ゴルフクラブヘッド１５１４は、バック部分とフェイス部分も画定する。バック部分とフェイス部分は、中空室１５３４内に嵌め込まれる。ゴルフクラブヘッド１５１４を中空室１５３４内に配置すると、バック部分とフェイス部分は、それぞれ第３のヘッド端部１５７０と第４のヘッド端部１５７２とに対応する。
【００３５】
一つの実施形態では、プルストラップ１５２４は、第１の方向でヘッド部１５２０のトップ部１５２６に取り付けられ得る。図３５に例示されるように、第１の方向では、プルストラップ１５２４の第１のストラップ端部１５４０は、ヘッド部１５２０の第１のヘッド端部１５３６に取り付けられるか一体化しており、プルストラップ１５２４の第２のストラップ端部１５４２は、ヘッド部１５２０の第２のヘッド端部１５３８に取り付けられるか一体化している。第１のストラップ端部１５４０は、第２のストラップ端部１５４２よりも幅広であるため、プルストラップ１５２４は第１のヘッド端部１５３６から第２のヘッド端部１５３８にかけて細くなっている。例えば、図３３に戻って参照すると、ヘッド部１５２０の第１のヘッド端部１５３６における中空室１５３４は、ゴルフクラブヘッド１５１４のトゥー部分１５６６を覆っていてもよい。一方において、ヘッド部１５２０の第２のヘッド端部１５３８もしくは第２のヘッド端部１５３８の近傍における中空室１５３４は、ゴルフクラブヘッド１５１４のヒール部分１５６４を覆っていてもよい。この方向では、プルストラップ１５２４を握っている個人は、ゴルフクラブヘッド１５１４のトゥー部分１５６６より、ゴルフクラブヘッド１５１４のヒール部分１５６４に対して、より大きな上方の力を印加できる。しかしながら、他の実施形態では、プルストラップ１５２４は、異なった方向に向けられていてもよい。
【００３６】
図３６を参照して、符号１６００を付されたクラブヘッドカバーの実施形態は、ヘッド部１６２０を含んでおり、ヘッド部１６２０は、第１のヘッド端部１６３６、第２のヘッド端部１６３８、第３のヘッド端部１６７０、第４のヘッド端部１６７２を画定している。プルストラップ１５２４と対比して、プルストラップ１６２４は、第２の方向でヘッド部１６２０に取り付けられるか一体化している。第２の方向では、プルストラップ１６２４の第１のストラップ端部１６４０は、第２のヘッド端部１６３８に取り付けられるか一体化しており、プルストラップ１６２４の第２のストラップ端部１６４２は、第１のヘッド端部１６３６に取り付けられるか一体化している。図３５のプルストラップ１５２４と対比して、図３６の第１のストラップ端部１６４０は、第２のストラップ端部１６４２よりも幅広であるため、プルストラップ１６２４は第２のヘッド端部１６３８から第１のヘッド端部１６３６にかけて直線的に細くなっている。図３５のプルストラップ１５２４は第１のヘッド端部１５３６から第２のヘッド端部１５３８にかけて細くなっている。そのため、プルストラップ１６２４は、図３５のプルストラップ１５２４とは反対の方向に、ヘッド部１６２０に取り付けられている。例えば、図３６に示されるように、第１のヘッド端部１６３６における中空室１５３４は、ゴルフクラブヘッド１５１４のトゥー部分１５６６を覆っていてもよい。一方において、第２のヘッド端部１６３８もしくは第２のヘッド端部１６３８の近傍における中空室１５３４は、ゴルフクラブヘッド１５１４のヒール部分１５６４を覆っていてもよい。この方向では、プルストラップ１６２４を握っている個人は、ゴルフクラブヘッド１５１４のヒール部分１５６４より、ゴルフクラブヘッド１５１４のトゥー部分１５６６に対して、より大きな上方の力を印加できる。図に示されるように、プルストラップ１６２４はヘッド部１６２０における縦方向に延びている。
【００３７】
図３７を参照して、符号１７００を付されたクラブヘッドカバーの実施形態は、ヘッド部１７２０を含んでおり、ヘッド部１７２０は、第１のヘッド端部１７３６、第２のヘッド端部１７３８、第３のヘッド端部１７７０、第４のヘッド端部１７７２を画定している。図３６に示されるプルストラップ１６２４と対比して、プルストラップ１７２４は、第３の方向でヘッド部１７２０に取り付けられるか一体化している。第３の方向は、プルストラップ１５２４又はプルストラップ１６２４のどちらに対しても、それらを横切る方向である。そのため、プルストラップ１７２４の第１のストラップ端部１７４０は、第４のヘッド端部１７７２に取り付けられるか一体化しており、プルストラップ１７２４の第２のストラップ端部１７４２は、第３のヘッド端部１７７０に取り付けられるか一体化している。図３７の第１のストラップ端部１７４０は、第２のストラップ端部１７４２よりも幅広であるため、プルストラップ１７２４は第３のヘッド端部１７７０から第４のヘッド端部１７７２にかけて直線的に細くなっている。これは、図３５のストラップ１５２４を時計回りに９０度回転し、第１のストラップ端部１５４０が第３のヘッド端部１５７０に位置するようにし、第２のストラップ端部１５４２が第４のヘッド端部１５７２に位置するようにしたものと類似する。この方向では、プルストラップ１７２４を握っている個人は、クラブヘッドカバー１７００を取り外す際に、ゴルフクラブヘッド１５１４のバック部分より、ゴルフクラブヘッド１５１４のフェイス部分に対して、より大きな上方の力を印加できる。図３５で示される実施形態とさらに対比すると、プルストラップ１７２４は実質的には幅７２６に沿って延びているため、プルストラップ１７２４は、プルストラップ１６２４より比較的に短くてもよい。図に示されるように、プルストラップ１７２４はヘッド部１７２０における横方向に延びている。一形態において、プルストラップ１７２４は、右利きの個人がつかむ用に構成されている。
【００３８】
図３８を参照して、符号１８００を付されたクラブヘッドカバーの実施形態は、ヘッド部１８２０を含んでおり、ヘッド部１８２０は、第１のヘッド端部１８３６、第２のヘッド端部１８３８、第３のヘッド端部１８７０、第４のヘッド端部１８７２を画定している。図３７のプルストラップ１７２４と対比して、プルストラップ１８２４は、第４の方向でヘッド部１８２０に取り付けられるか一体化している。第４の方向は、プルストラップ１７２４と反対の方向である。そのため、プルストラップ１８２４の第１のストラップ端部１８４０は、第３のヘッド端部１８７０に取り付けられるか一体化しており、プルストラップ１８２４の第２のストラップ端部１８４２は、第４のヘッド端部１８７２に取り付けられるか一体化している。図３８の第１のストラップ端部１８４０は、第２のストラップ端部１８４２よりも幅広であるため、プルストラップ１８２４は第３のヘッド端部１８７０から第４のヘッド端部１８７２にかけて直線的に細くなっている。これは、図３５のストラップ１５２４を反時計回りに９０度回転し、第１のストラップ端部１５４０が第３のヘッド端部１５７０に位置するようにし、第２のストラップ端部１５４２が第４のヘッド端部１５７２に位置するようにしたものと類似する。この方向では、プルストラップ１８２４を握っている個人は、クラブヘッドカバー１８００を取り外す際に、ゴルフクラブヘッド１５１４のフェイス部分より、ゴルフクラブヘッド１５１４のバック部分に対して、より大きな上方の力を印加できる。一形態において、プルストラップ１８２４の幅７２６は、プルストラップ１７２４の幅７２６と実質的に同じであってもよい。さらに、プルストラップ１８２４は、左利きの個人がつかむ用に構成されている。図３４から図３８では、円形の平面図の代わりに、卵型あるいは楕円型の平面図が描かれているが、ヘッド部１５２０、１６２０、１７２０、及び１８２０の構成は、これに限られない。ヘッド部１５２０は、様々な種類のゴルフクラブヘッド１５１４を覆うことができる中空室１５３４を形成するのに適した構成であればいかなる構成であってもよい。なお、プルストラップ１５２４，１６２４，１７２４、及び１８２４は、必ずしも直線的に細くなっていなくてもよい。例えば、プルストラップ１５２４，１６２４，１７２４、及び１８２４は、曲線的に細くなってもよい。
【００３９】
図３０及び図３３に例示されるように、一つの実施形態では、クラブヘッドカバー１００と同様に、個人は、例えば４本の指などの手を、プルストラップ１５２４とヘッド部１５２０のトップ部１５２６との間に形成された空洞１５６０に、Ａ方向又はＢ方向のどちらかから入れ込むことにより、クラブヘッドカバー１５００を取り外してもよい。そして、個人は、一方の手でゴルフクラブ１５１２のシャフト１５１６などを持ちながら、プルストラップ１５２４に対し、もう一方の手で上向きの力をＣ方向に印加して、ゴルフクラブヘッド１５１４からゴルフクラブカバー１５００を取り外す。そうすることで、個人はプルストラップ１５２４の第１のストラップ端部１５４０に対し、格段に大きな力を印加できる。なぜなら、第２のストラップ端部１５４２側よりも、第１のストラップ端部１５４０側の方が、ヘッド部１５２０に取り付けられているプルストラップ１５２４の素材を比例的に大きく占め、そのため、一定の幅で細いプルストラップのときよりも、格段に大きく均等な力が印加され、ゴルフクラブヘッド１５１４からクラブヘッドカバー１５００を取り外すことができるからである。プルストラップ１５２４にそのような均等な力が印加されることで、クラブヘッドカバー１５００がゴルフクラブ１５１２の一部にひっかかり、クラブヘッドカバー１５００を取り外しにくくなることを防げる。上記の通り、一定の細い幅を有するプルストラップは、クラブヘッドカバー１５００の第１のヘッド端部１５３６に対して、ゴルフクラブヘッド１５１４からクラブヘッドカバー１５００の取り外しを容易にするほどの大きな力を印加することができない。さらに、一定の細い幅を有するプルストラップは、個人の４本の指が十分な素材と接触してクラブヘッドカバー１５００を容易に取り外すのに必要な力を印加できるように十分に構成された空洞１５６０を形成することができない。
【００４０】
図３９を参照すると、フローチャートはクラブヘッドカバー１５００の一つの製造方法を例示している。ブロック２３００では、クラブヘッドカバー１５００が、ヘッド部１５２０とスリーブ部１５２２を有するように形成される。いくつかの実施形態では、クラブヘッドカバー１５００は、レザー、ネオプレン、ポリエチレン、ポリウレタン、合成ゴム、アクリロニトリルブタジエンスチレン（ＡＢＳ）、プラスチック、又は繊維素材のうち、少なくとも一つから形成される。ブロック２３０２では、ヘッド部１５２０内に中空室１５３４が形成される。中空室１５３４は、ゴルフクラブヘッド１５１４を覆うように構成されている。一つの実施形態では、中空室１５３４は、第１のヘッド端部１５３６又は第１のヘッド端部１５３６の近傍の方が、第２のヘッド端部１５３８又は第２のヘッド端部１５３８の近傍よりも広い。ブロック２３０４では、開口端１５５８と連通するようなスリーブコンジット１５６２が、スリーブ部１５２２内に形成される。開口端１５５８は、ゴルフクラブヘッド１５１４がスリーブコンジット１５６２内に入ることを許容するように構成されている。ブロック２３０６では、プルストラップ１５２４がヘッド部１５２０に形成される。プルストラップ１５２４の第１のストラップ端部１５４０は、第２のストラップ端部１５４２よりも幅広である。一つの実施形態では、プルストラップは、プルストラップ１５２４をヘッド部１５２０に縫い付けることにより形成される。いくつかの実施形態では、プルストラップ１５２４の形成は、プルストラップ１５２４の第１のストラップ端部１５４０を第１のヘッド端部１５３６に取り付け、プルストラップ１５２４の第２のストラップ端部１５４２を第２のヘッド端部１５３８に取り付けることを含んでいてもよい。さらに、プルストラップ１５２４の形成は、個人の手がプルストラップ１５２４を通ってプルストラップ１５２４をつかめるような空洞１５６０を形成することを含んでいてもよい。
【００４１】
図１から図３９では、特定の対称な構成を有するクラブヘッドカバー１００、２００、３００、４００、５００、６００、７００、８００、９００、１１００、１２００、１３００、１４００、１５００、１６００、１７００、及び１８００を例示するが、本明細書で説明される装置や方法は、他の対称な、あるいは非対称な構成を含んでいてもよい。例えば、クラブヘッドカバー１００、２００、３００、４００、５００、６００、７００、８００、９００、１１００、１２００、１３００、１４００、１５００、１６００、１７００、及び１８００は、平面図が円形の構成であってもよい。別の例としては、クラブヘッドカバー１００、２００、３００、４００、５００、６００、７００、８００、９００、１１００、１２００、１３００、１４００、１５００、１６００、１７００、及び１８００は、図６に例示されるドライバーゴルフクラブヘッドのようなゴルフクラブヘッドにぴったり嵌まる、より不定形な形を有していてもよい。同様に、図１から図３９に例示されるプルストラップ１２４、２２４、３２４、４２４、５２４、６２４、７２４、８２４、９２４、１１２４、１２２４、１３２４、１４２４、１５２４、１６２４、１７２４、１８２４、及び１９２４は、特定の対称な構成を有するが、本明細書で説明される装置や方法は、他の対称な、あるいは非対称な構成を含んでいてもよい。例えば、プルストラップ１２４、２２４、３２４、４２４、５２４、６２４、７２４、８２４、９２４、１１２４、１２２４、１３２４、１４２４、１５２４、１６２４、１７２４、１８２４、及び１９２４は、平面図において、ほぼ先細の構成を有していてもよい。別の例としては、プルストラップ１２４、２２４、３２４、４２４、５２４、６２４、７２４、８２４、９２４、１１２４、１２２４、１３２４、１４２４、１５２４、１６２４、１７２４、１８２４、及び１９２４は、第１のストラップ端部（例えば、第１のストラップ端部１４０）及び第２のストラップ端部（例えば、第２のストラップ端部１４２）に対して横断し、且つ対称な形を有する第１の側部、及び非対称な形を有する第２の側端部を反対側に形成してもよい。さらなる例としては、プルストラップ１２４、２２４、３２４、４２４、５２４、６２４、７２４、８２４、９２４、１１２４、１２２４、１３２４、１４２４、１５２４、１６２４、１７２４、１８２４、及び１９２４は、対称な形を有する第１の側部、及びそれとは異なる対称な形を有する第２の側部を形成してもよい。さらに別の例としては、プルストラップ１２４、２２４、３２４、４２４、５２４、６２４、７２４、８２４、９２４、１１２４、１２２４、１３２４、１４２４、１５２４、１６２４、１７２４、１８２４、及び１９２４は、非対称な形を有する第１の側部、及びそれとは異なる非対称な形を有する第２の側部を形成してもよい。
【００４２】
プルストラップ１２４、２２４、３２４、４２４、５２４、６２４、７２４、８２４、９２４、１１２４、１２２４、１３２４、１４２４、１５２４、１６２４、１７２４、１８２４、及び１９２４を備える各クラブヘッドカバー１００、２００、３００、４００、５００、６００、７００、８００、９００、１１００、１２００、１３００、１４００、１５００、１６００、１７００、及び１８００は、レザー、合成ゴム、ネオプレン、ポリエチレン、ポリウレタン、アクリロニトリルブタジエンスチレン（ＡＢＳ）、プラスチック、繊維素材のような様々な素材、又はそれらの組み合わせから作られてもよい。例えば、いくつかの実施形態では、プルストラップ１２４、２２４、３２４、４２４、５２４、６２４、７２４、８２４、９２４、１１２４、１２２４、１３２４、１４２４、１５２４、１６２４、１７２４、１８２４、及び１９２４は合成ゴムから作られ、一方、クラブヘッドカバー１００、２００、３００、４００、５００、６００、７００、８００、９００、１１００、１２００、１３００、１４００、１５００、１６００、１７００、及び１８００の残りの部分は、ポリウレタンなどの異なる素材で作られてもよい。他の実施形態では、プルストラップ１２４、２２４、３２４、４２４、５２４、６２４、７２４、８２４、９２４、１１２４、１２２４、１３２４、１４２４、１５２４、１６２４、１７２４、１８２４、及び１９２４と、クラブヘッドカバー１００、２００、３００、４００、５００、６００、７００、８００、９００、１１００、１２００、１３００、１４００、１５００、１６００、１７００、及び１８００の残りの部分とは、同じ素材、例えば上記のネオプレンや他のいかなる素材などで作られてもよい。本明細書で説明される装置、製造品、方法はこれに限られない。なお、様々な図において、一致する参照符号は、一致する要素を示す。図に用いられる見出しは請求項の範囲を限定するものとして解釈されるべきではない。
以下の項目は、本出願時の特許請求の範囲に記載の要素である。
［項目１］
ヘッドカバーであって、
前記ヘッドカバーは、本体とプルストラップとを備え、
前記本体は、ヘッド部と中空のスリーブ部とを備え、
前記ヘッド部は、トゥー部分とヒール部分を有するゴルフクラブヘッドを収容するように構成された中空室を形成し、
前記ヘッド部はさらに、第１のヘッド端部と第２のヘッド端部とを形成し、
前記第１及び前記第２のヘッド端部は互いに反対に位置しており、
前記中空のスリーブ部は、前記中空室と連通しているスリーブコンジットを形成し、
前記中空のスリーブ部は、前記第２のヘッド端部と隣接し、前記ゴルフクラブヘッドにつながるシャフトの一部を覆うように構成されており、
前記プルストラップは、前記本体の前記ヘッド部につなげられており、
前記プルストラップは、前記ヘッド部の前記第１のヘッド端部に取り付けられている第１のストラップ端部と、前記ヘッド部の前記第２のヘッド端部に取り付けられている第２のストラップ端部とを形成し、
前記本体と前記プルストラップは、個人の手の一部分を入れ込むように構成された空洞を形成する、ヘッドカバー。
［項目２］
前記第１のヘッド端部は、前記ゴルフクラブヘッドが前記中空室内に配置される場合に前記ゴルフクラブヘッドの前記トゥー部分を嵌め込むように構成されており、
前記第２のヘッド端部は、前記ゴルフクラブヘッドが前記中空室内に配置される場合に前記ゴルフクラブヘッドの前記ヒール部分を嵌め込むように構成されており、
前記中空室は、前記第１のヘッド端部又は前記第１のヘッド端部の近傍が、前記第２のヘッド端部又は前記第２のヘッド端部の近傍より広い、項目１に記載のヘッドカバー。
［項目３］
前記プルストラップの前記第１のストラップ端部は、前記プルストラップの前記第２のストラップ端部より幅広であり、前記ヘッド部の前記第１のヘッド端部に取り付けられており、
前記プルストラップの前記第２のストラップ端部は、前記ヘッド部の前記第２のヘッド端部に取り付けられている、項目１に記載のヘッドカバー。
［項目４］
前記ヘッド部と前記中空のスリーブ部は、Ｌ字型の形状を形成する、項目１に記載のヘッドカバー。
［項目５］
前記ヘッド部の前記中空室の大きさは、前記ヘッド部の前記第２のヘッド端部から前記第１のヘッド端部にかけて増大する、項目１に記載のヘッドカバー。
［項目６］
前記プルストラップの前記第１のストラップ端部は、前記プルストラップの前記第２のストラップ端部より幅広である、項目１に記載のヘッドカバー。
［項目７］
前記プルストラップは、前記本体の前記ヘッド部と一体化している、項目１に記載のヘッドカバー。
［項目８］
前記プルストラップは、前記本体の前記ヘッド部に着脱不能に取り付けられる、項目１に記載のヘッドカバー。
［項目９］
前記プルストラップは、その長さが４．７５インチから７インチであり、
前記プルストラップの前記第２のストラップ端部又はその近傍における幅が２インチから３インチであり、
前記プルストラップの前記第１のストラップ端部又はその近傍における幅が４インチから６インチである、項目１に記載のヘッドカバー。
［項目１０］
前記ゴルフクラブヘッドは、ドライバーゴルフクラブ、ウッドゴルフクラブ、アイアンゴルフクラブ、ハイブリッド型ゴルフクラブ、又はパターゴルフクラブに関する、項目１に記載のヘッドカバー。
［項目１１］
前記中空のスリーブ部は、ハンドル部を備え、
前記ハンドル部は、前記ゴルフクラブヘッドが前記中空室内に配置され、且つ、前記シャフトの一部が前記スリーブ部内に配置されるように、前記クラブヘッドカバーを引っ張って前記ゴルフクラブヘッドの上に乗せる補助をするように構成されている、項目１に記載のヘッドカバー。
［項目１２］
前記中空のスリーブ部は、前記本体の前記ヘッド部に隣接する先端部と、
前記本体の前記ヘッド部から最も離れたところに位置する中心部と、を備える、項目１に記載のヘッドカバー。
［項目１３］
前記本体は、レザー、ネオプレン、ポリエチレン、ポリウレタン、合成ゴム、アクリロニトリルブタジエンスチレン、プラスチック、又は繊維素材のうち、少なくとも一つから成る、項目１に記載のヘッドカバー。
［項目１４］
前記プルストラップは、前記第１のストラップ端部から前記第２のストラップ端部にかけて、直線的に細くなっている、項目１に記載のヘッドカバー。
［項目１５］
前記プルストラップは、前記第１のストラップ端部から前記第２のストラップ端部にかけて、非直線的に細くなっている、項目１に記載のヘッドカバー。
［項目１６］
ゴルフクラブヘッドを覆うように構成された、第１のヘッド端部と、第２のヘッド端部と、一つの室と、を画定し、
スリーブ部と連通するヘッド部を備える本体を形成するステップと、
前記室と連通しているスリーブコンジットを備える前記スリーブ部を形成するステップと、
前記ヘッド部にプルストラップを形成するステップを含み、
前記スリーブコンジットは、前記スリーブ部内において、前記ゴルフクラブヘッドが前記スリーブコンジットを通って前記室まで入ることを許容するように構成されており、
前記プルストラップは、前記ヘッド部の前記第１のヘッド端部に取り付けられている第１のストラップ端部と、前記ヘッド部の前記第２のヘッド端部に取り付けられている第２のストラップ端部と、を画定し、
前記本体と前記プルストラップは、個人の手の一部分が通過することを許容する空洞を形成する方法。
［項目１７］
前記ヘッド部に対し、着脱不能に、もしくは着脱可能なように取り付けられる前記プルストラップを形成するステップを含む、項目１６に記載の方法。
［項目１８］
前記プルストラップを形成するステップは、前記プルストラップの前記第１のストラップ端部を、前記ヘッド部の前記第１のヘッド端部に取り付け、前記プルストラップの前記第２のストラップ端部を、前記ヘッド部の前記第２のヘッド端部に取り付け、
前記室は、前記第１のヘッド端部又は前記第１のヘッド端部の近傍が、前記第２のヘッド端部又は前記第２のヘッド端部の近傍より広い、項目１６に記載の方法。
［項目１９］
レザー、ネオプレン、ポリエチレン、ポリウレタン、合成ゴム、アクリロニトリルブタジエンスチレン、プラスチック、又は繊維素材のうち、少なくとも一つから成る前記本体を形成するステップを含む、項目１６に記載の方法。
［項目２０］
ヘッドカバーであって、
前記ヘッドカバーは、本体とプルストラップとを備え、
前記本体は、ヘッド部と中空のスリーブ部とを備え、
前記ヘッド部は、トゥー部分とヒール部分を有するゴルフクラブヘッドを収容するように構成された中空室を形成し、
前記ヘッド部はさらに、第１のヘッド端部と第２のヘッド端部とを形成し、
前記中空のスリーブ部は、前記中空室と連通しているスリーブコンジットを形成し、
前記中空のスリーブ部は、前記ゴルフクラブヘッドにつながるシャフトの一部を覆うように構成されており、
前記プルストラップは、前記本体の前記ヘッド部につなげられており、
前記プルストラップは、第１のストラップ部と、第２のストラップ部と、第３のストラップ部とを形成し、
前記各ストラップ部は、前記ヘッド部の３つの異なる部分にそれぞれつなげられる端部を有し、
前記本体と前記プルストラップは、個人の手の一部分を入れ込むように構成された少なくとも一つの空洞を形成する、ヘッドカバー。
［項目２１］
前記第１のヘッド端部は、前記ゴルフクラブヘッドが前記中空室内に配置される場合に前記ゴルフクラブヘッドのトゥー部分を嵌め込むように構成されており、
前記第２のヘッド端部は、前記ゴルフクラブヘッドが前記中空室内に配置される場合に前記ゴルフクラブヘッドのヒール部分を嵌め込むように構成されており、
前記中空室は、前記第１のヘッド端部又は前記第１のヘッド端部の近傍が、前記第２のヘッド端部又は前記第２のヘッド端部の近傍より広い、項目２０に記載のヘッドカバー。
［項目２２］
前記第１のストラップ部は、前記第２のストラップ部又は前記第３のストラップ部より広い、項目２０に記載のヘッドカバー。
［項目２３］
前記第１のストラップ部、前記第２のストラップ部、及び前記第３のストラップ部は、あわせて略Ｙ字型の形状を形成する、項目２０に記載のヘッドカバー。
［項目２４］
前記第１のストラップ部は、前記第２のストラップ部又は前記第３のストラップ部より長い、項目２０に記載のヘッドカバー。
［項目２５］
前記プルストラップは、  前記第１のストラップ部、前記第２のストラップ部、及び前記第３のストラップ部のうち、少なくとも一つに沿ってつかむことができる、項目２０に記載のヘッドカバー。
［項目２６］
前記少なくとも一つの空洞は、前記ヘッド部に対して３つの異なる方向で、前記個人の手によってアクセスされる、項目２０に記載のヘッドカバー。
［項目２７］
ゴルフクラブヘッドを覆うように構成された、第１のヘッド端部と、第２のヘッド端部と、第３のヘッド端部と、第４のヘッド端部と、一つの室と、から成ると共に、ヘッド部を備える本体を形成するステップと、
前記室と連通しているスリーブコンジットを備えるスリーブ部を形成するステップと、
前記ヘッド部につなげられるプルストラップを形成するステップと、を含み、
前記スリーブ部を形成するステップは、前記スリーブコンジットが、前記ゴルフクラブヘッドが前記スリーブコンジットを通って前記室まで入ることを許容するように構成され、
前記プルストラップには、前記ヘッド部の３つの異なる部分にそれぞれつなげられる端部を有する、第１のストラップ部と、第２のストラップ部と、第３のストラップ部と、が形成されており、
前記本体と前記プルストラップは、個人の手の一部分が通過することを許容する少なくとも一つの空洞を形成する方法。
［項目２８］
前記プルストラップを形成するステップは、前記第１のストラップ部の前記端部を前記第１のヘッド端部に取り付け、前記第２のストラップ部の前記端部を前記第３のヘッド端部と前記第２のヘッド端部との間に取り付け、前記第３のストラップ部の前記端部を前記第４のヘッド端部と前記第２のヘッド端部との間に取り付ける、項目２７に記載の方法。
［項目２９］
前記プルストラップを形成するステップは、前記第２のストラップ部と前記第３のストラップ部に対して横方向に前記第１のストラップ部を構成する、項目２７に記載の方法。
［項目３０］
前記プルストラップを形成するステップは、前記第２のストラップ部と前記第３のストラップ部のうち少なくとも一つより幅広である前記第１のストラップ部を形成する、項目２７に記載の方法。
【００４３】
以上、特定の実施形態が例示及び説明されたが、当業者にとって明らかであるように、本発明の精神及び範囲から逸脱することなく、特定の実施形態を様々に変更したものが含まれることが理解されるべきである。そのような変形や変更は本明細書に添付された特許請求の範囲に規定される本発明の範囲及び教示内に属する。
【図１】
0006047296.tif 000002
【図２】
0006047296.tif 000003
【図３】
0006047296.tif 000004
【図４】
0006047296.tif 000005
【図５】
0006047296.tif 000006
【図６】
0006047296.tif 000007
【図７】
0006047296.tif 000008
【図８】
0006047296.tif 000009
【図９】
0006047296.tif 000010
【図１０】
0006047296.tif 000011
【図１１】
0006047296.tif 000012
【図１２】
0006047296.tif 000013
【図１３】
0006047296.tif 000014
【図１４】
0006047296.tif 000015
【図１５】
0006047296.tif 000016
【図１６】
0006047296.tif 000017
【図１７】
0006047296.tif 000018
【図１８】
0006047296.tif 000019
【図１９】
0006047296.tif 000020
【図２０】
0006047296.tif 000021
【図２１】
0006047296.tif 000022
【図２２】
0006047296.tif 000023
【図２３】
0006047296.tif 000024
【図２４】
0006047296.tif 000025
【図２５】
0006047296.tif 000026
【図２６】
0006047296.tif 000027
【図２７】
0006047296.tif 000028
【図２８】
0006047296.tif 000029
【図２９】
0006047296.tif 000030
【図３０】
0006047296.tif 000031
【図３１】
0006047296.tif 000032
【図３２】
0006047296.tif 000033
【図３３】
0006047296.tif 000034
【図３４】
0006047296.tif 000035
【図３５】
0006047296.tif 000036
【図３６】
0006047296.tif 000037
【図３７】
0006047296.tif 000038
【図３８】
0006047296.tif 000039
【図３９】
0006047296.tif 000040